(57)【要約】  本願は、ハンドオーバー方法及び装置を開示し、通信技術分野に関するものであり、基地局内においてセントラルノード制御プレーンＣＵ−ＣＰとセントラルノードユーザプレーンＣＵ−ＵＰとが分離されている場面で、分散ノードＤＵのハンドオーバー過程におけるデータ伝送の中断時間を低減し、ユーザエクスペリエンスを向上させるためである。本願の実施例が提供するハンドオーバー方法により、ＣＵ−ＣＰからＣＵ−ＵＰへ送信する通知中にチャンネル切替指示情報を持つだけではなく、保持指示情報をさらに含み、保持指示情報により、ソース下りチャンネルによる下りデータの送信を継続できるようＣＵ−ＵＰに指示することで、ユーザ機器がターゲットＤＵと接続していない場合でも、下りデータを受信可能となり、ＤＵハンドオーバー過程におけるデータ伝送の中断時間を低減し、ユーザエクスペリエンスを向上させる。
2021529468.tif 000002
【特許請求の範囲】
【請求項１】
セントラルノード制御プレーンＣＵ−ＣＰ及びセントラルノードユーザプレーンＣＵ−ＵＰを有するセントラルノードＣＵと分散ノードＤＵとが分離されているアクセスネットワーク機器に適用されるハンドオーバー方法であって、
前記ＣＵ−ＣＰが、ユーザ機器に対してターゲットＤＵを特定するステップと、
前記ＣＵ−ＣＰが、前記ユーザ機器のソース下りチャンネルを前記ターゲットＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を前記ＣＵ−ＵＰに送信するステップと、
を含むことを特徴とするハンドオーバー方法。
【請求項２】
前記保持指示情報は、前記ソース下りチャンネルを一時保持する指示情報、あるいは前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合に、前記ソース下りチャンネルによる下りデータの送信を継続するよう前記ＣＵ−ＵＰに指示する
ことを特徴とする請求項１に記載の方法。
【請求項３】
セントラルノードユーザプレーンＣＵ−ＵＰが、セントラルノード制御プレーンＣＵ−ＣＰから送信した、ユーザ機器のソース下りチャンネルをターゲット分散ノードＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を受信するステップと、
前記ＣＵ−ＵＰが、前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続するステップと、
を含むことを特徴とするハンドオーバー方法。
【請求項４】
前記ＣＵ−ＵＰが、前記ターゲットＤＵに対応する下りチャンネルによる、前記ターゲットＤＵへの下りデータの送信を開始する時間を特定するステップをさらに含むことを特徴とする請求項３に記載の方法。
【請求項５】
前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ソース下りチャンネルに対応するソースＤＵから送信した、対応する無線リンクの品質情報を持つ検出メッセージを受信するステップと、
前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップと、
を含むことを特徴とする請求項４に記載の方法。
【請求項６】
前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップを含むことを特徴とする請求項４に記載の方法。
【請求項７】
前記保持指示情報は、前記ソース下りチャンネルを一時保持する指示情報、あるいは、前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合、前記ソース下りチャンネルによる下りデータの送信を継続するよう前記ＣＵ−ＵＰに指示する
ことを特徴とする請求項３〜６のいずれか１項に記載の方法。
【請求項８】
プログラム命令を記憶するメモリと、
前記メモリに記憶されているプログラム命令を呼び出し、得られたプログラムに従って、
ユーザ機器に対してターゲット分散ノードＤＵを特定するステップ、及び
前記ユーザ機器のソース下りチャンネルを前記ターゲットＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知をセントラルノードユーザプレーンＣＵ−ＵＰに送信するステップ、
を実行するプロセッサと、
を備えることを特徴とする通信装置。
【請求項９】
前記保持指示情報は、前記ソース下りチャンネルを一時保持する指示情報、あるいは、前記ユーザ機器の下りチャンネルを切り替える原因がセルハンドオーバーである原因情報、を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合、前記ソース下りチャンネルによる下りデータの送信を継続するよう前記ＣＵ−ＵＰに指示する
ことを特徴とする請求項８に記載の装置。
【請求項１０】
プログラム命令を記憶するメモリと、
前記メモリに記憶されているプログラム命令を呼び出し、得られたプログラムに従って、
セントラルノード制御プレーンＣＵ−ＣＰから送信した、ユーザ機器のソース下りチャンネルをターゲット分散ノードＤＵに対応する下りチャンネルに切り替えるよう前記セントラルノードユーザプレーンＣＵ−ＵＰに指示するチャンネル切替指示情報と、前記ソース下りチャンネルによる下りデータの送信を継続するよう前記ＣＵ−ＵＰに指示する保持指示情報と、を含む通知を受信するステップ、および
前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続するステップ、
を実行するプロセッサと、
を備えることを特徴とする通信装置。
【請求項１１】
前記プロセッサは、さらに、
前記ＣＵ−ＵＰが、前記ターゲットＤＵに対応する下りチャンネルによる、前記ターゲットＤＵへの下りデータの送信を開始する時間を特定するステップを実行することを特徴とする請求項１０に記載の装置。
【請求項１２】
前記プロセッサは、具体的に、
前記ＣＵ−ＵＰが、前記ソース下りチャンネルに対応するソースＤＵから送信した、対応する無線リンクの品質情報を持つ検出メッセージを受信し、前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップを実行することを特徴とする請求項１１に記載の装置。
【請求項１３】
前記プロセッサは、具体的に、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップを実行することを特徴とする請求項１１に記載の装置。
【請求項１４】
前記保持指示情報は、前記ソース下りチャンネルを一時保持する指示情報、あるいは、前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合、前記ソース下りチャンネルによる下りデータの送信を継続するよう前記ＣＵ−ＵＰに指示する
ことを特徴とする請求項１０〜１３のいずれか１項に記載の装置。
【請求項１５】
前記セントラルノード制御プレーンＣＵ−ＣＰがユーザ機器に対してターゲット分散ノードＤＵを特定する特定手段と、
前記ＣＵ−ＣＰが、前記ユーザ機器のソース下りチャンネルを前記ターゲットＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知をセントラルノードユーザプレーンＣＵ−ＵＰに送信する送信手段と、
を備えることを特徴とするハンドオーバー装置。
【請求項１６】
セントラルノードユーザプレーンＣＵ−ＵＰがセントラルノード制御プレーンＣＵ−ＣＰから送信した、ユーザ機器のソース下りチャンネルをターゲット分散ノードＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を受信する受信手段と、
前記ＣＵ−ＵＰが前記通知におけるチャンネル切替指示情報に基づき、前記ユーザ機器のソース下りチャンネルを前記ターゲットＤＵに対応する下りチャンネルに切り替える切替手段と、
前記ＣＵ−ＵＰが前記通知における保持指示情報に基づき、前記ソース下りチャンネルによる下りデータの送信を継続する保持手段と、
を備えることを特徴とするハンドオーバー装置。
【請求項１７】
コンピュータに請求項１〜７のいずれか１項に記載の方法を実行させるコンピュータ実行可能な命令が記憶されていることを特徴とするコンピュータ読取可能な記憶媒体。
【発明の詳細な説明】
【技術分野】
【０００１】
本願は、２０１８年６月２６日に中国専利局へ提出された、出願番号が２０１８１０６７２６６６．Ｘ、出願の名称が「ハンドオーバー方法及び装置」である中国特許出願の優先権を主張し、その内容を全て引用により本願に組み込む。
【０００２】
本願は、通信技術分野に関し、特にハンドオーバー方法及び装置に関する。
【背景技術】
【０００３】
ロングタームエボリューションＬＴＥ（Ｌｏｎｇ  Ｔｅｒｍ  Ｅｖｏｌｕｔｉｏｎ）システムにおいて、無線アクセスネットワークが複数の基地局で構成され、基地局とコアネットワークとの間がＳ１インタフェースにより接続され、基地局間がＸ２インタフェースにより接続される。５Ｇシステムにおいて、１つのセントラルノード（ｃｅｎｔｒａｌ  ｕｎｉｔ，ＣＵ）を導入して制御及びスケジューリングを集約して行い、しかも、無線リソース制御（Ｒａｄｉｏ  Ｒｅｓｏｕｒｃｅ  Ｃｏｎｔｒｏｌ，ＲＲＣ）の機能及びレイヤ２又は／及びレイヤ１の一部の機能をセントラルノードＣＵに配置し、基地局の他の機能を分散ノード（ｄｉｓｔｒｉｂｕｔｅ  ｕｎｉｔ，ＤＵ）に配置する。これに基づき、基地局とコアネットワークとの間のインタフェース（ＮＧ）がＣＵで中止になり、基地局間のインタフェース（Ｘｎ）もＣＵで中止になる。また、５Ｇシステムにおいて、より優れる管理及び通信性能を実現するように、制御プレーン（Ｃｏｎｔｒｏｌ  Ｐｌａｎｅ，ＣＰ）／ユーザプレーン（Ｕｓｅｒ  Ｐｌａｎｅ，ＵＰ）の分離がさらに導入され、即ち、ＣＵについてさらにセントラルノード制御プレーンＣＵ−ＣＰ及びセントラルノードユーザプレーンＣＵ−ＵＰに分離する。
【発明の概要】
【課題を解決するための手段】
【０００４】
本願の実施例は、基地局内においてＣＵ−ＣＰとＣＵ−ＵＰとが分離されている場面で、ＤＵハンドオーバー過程におけるデータ伝送の中断時間を低減してユーザエクスペリエンスを向上させるためのハンドオーバー方法及び装置を提供する。
【０００５】
本願の実施例は、セントラルノード制御プレーンＣＵ−ＣＰ及びセントラルノードユーザプレーンＣＵ−ＵＰを有するセントラルノードＣＵと分散ノードＤＵとが分離されているアクセスネットワーク装置に適用されるハンドオーバー方法を提供し、前記方法は、
前記ＣＵ−ＣＰが、ユーザ機器に対してターゲットＤＵを特定するステップと、
前記ＣＵ−ＣＰが、前記ユーザ機器のソース下りチャンネルを前記ターゲットＤＵに対応する下りチャンネルに切り替えるよう前記ＣＵ−ＵＰに指示するためのチャンネル切替指示情報と、前記ソース下りチャンネルによる下りデータの送信を継続するよう前記ＣＵ−ＵＰに指示するための保持指示情報と、を含む通知を前記ＣＵ−ＵＰに送信するステップと、を含む。
【０００６】
この方法により、ＣＵ−ＣＰからＣＵ−ＵＰに送信する通知中に、チャンネル切替指示情報を持つだけではなく、保持指示情報をさらに持つこととなり、チャンネル切替指示情報により、ユーザ機器のソース下りチャンネルをターゲットＤＵに対応する下りチャンネルに切り替えるようＣＵ−ＵＰに指示することができ、ユーザ機器とターゲットＤＵとの接続が成功した後に、ユーザ機器がターゲットＤＵから送信した下りデータを受信可能にする。保持指示情報により、ソース下りチャンネルによる下りデータの送信を継続できるようＣＵ−ＵＰに指示し、これにより、ユーザ機器がターゲットＤＵと接続していない場合でも下りデータを受信することができ、ＤＵハンドオーバー過程におけるデータ伝送の中断時間を低減し、ユーザエクスペリエンスを向上させることができる。
【０００７】
任意選択として、前記保持指示情報は、前記ソース下りチャンネルを一時保持する指示情報、あるいは前記ユーザ機器の下りチャンネルを切り替える原因がセルハンドオーバーである原因情報、を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合に、前記ソース下りチャンネルによる下りデータの送信を継続するよう前記ＣＵ−ＵＰに指示するためである。
【０００８】
これにより、保持指示情報の内容を設置する際に、ソース下りチャンネルを一時保持する指示情報のみに限られず、ユーザ機器の下りチャンネルを切り替える原因情報であってもよく、これにより、ＣＵ−ＵＰはソース下りチャンネルによる下りデータの送信を継続することができ、保持指示情報設置の柔軟性を増加することができる。
【０００９】
第２の態様において、本願の実施例は、
セントラルノードユーザプレーンＣＵ−ＵＰが、セントラルノード制御プレーンＣＵ−ＣＰから送信した、前記ユーザ機器のソース下りチャンネルをターゲットＤＵに対応する下りチャンネルに切り替える前記ＣＵ−ＵＰによう指示するためのチャンネル切替指示情報と、前記ソース下りチャンネルによる下りデータの送信を継続するよう前記ＣＵ−ＵＰに指示するための保持指示情報と、を含む通知を受信するステップと、
前記ＣＵ−ＵＰが、前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続するステップと、
を含むハンドオーバー方法をさらに提供する。
【００１０】
この方法により、ＣＵ−ＣＰからＣＵ−ＵＰに送信する通知中に、チャンネル切替指示情報を持つだけではなく、保持指示情報をさらに含むこととなり、チャンネル切替指示情報により、ユーザ機器のソース下りチャンネルをターゲットＤＵに対応する下りチャンネルに切り替えるようＣＵ−ＵＰに指示することができ、これにより、ユーザ機器とターゲットＤＵとの接続が成功した後に、ユーザ機器がターゲットＤＵから送信した下りデータを受信可能にする。保持指示情報により、ソース下りチャンネルによる下りデータの送信を継続できるようＣＵ−ＵＰに指示し、これにより、ユーザ機器がターゲットＤＵと接続していない場合でも下りデータを受信することができ、ＤＵハンドオーバー過程におけるデータ伝送の中断時間を低減し、ユーザエクスペリエンスを向上させることができる。
【００１１】
任意選択として、前記ＣＵ−ＵＰが、前記ターゲットＤＵに対応する下りチャンネルによる、前記ターゲットＤＵへの下りデータの送信を開始する時間を特定するステップをさらに含む。
【００１２】
これにより、ＣＵ−ＵＰがいつターゲットＤＵに下りデータを送信するかを特定することができる。
【００１３】
任意選択として、前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ソース下りチャンネルに対応するソースＤＵから送信した、対応する無線リンクの品質情報を持つ検出メッセージを受信するステップと、
前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップと、を含む。
【００１４】
ＣＵ−ＵＰが前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続することができる場合、ソースＤＵは、引き続いてユーザプレーンにおいて対応する無線リンクの品質情報を持つ検出情報をＣＵ−ＵＰに送信するので、ＣＵ−ＵＰが、相応する無線リンクの品質状況を知ることが可能となり、無線リンクの品質が所定条件を満足できない場合、ＣＵ−ＵＰが、引き続きのソース下りチャンネルによる下りデータの送信を停止し、ターゲットＤＵに対応する下りチャンネルにより下りデータを送信することにより、ＤＵハンドオーバー過程におけるデータ伝送の中断時間を低減することができる。
【００１５】
任意選択として、前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップを含む。
【００１６】
ユーザ機器とターゲットＤＵとの接続が成功した後、ターゲットＤＵは、接続成功メッセージをＣＵ−ＵＰに送信するので、ＣＵ−ＵＰが、該接続成功メッセージを受信した場合、ソース下りチャンネルによるデータ送信を停止し、ターゲットＤＵに対応する下りチャンネルにより下りデータを送信することにより、ＤＵハンドオーバー過程におけるデータ伝送の中断時間を低減することができる。
【００１７】
任意選択として、前記保持指示情報は、前記ソース下りチャンネルを一時保持する指示情報、あるいは、前記ユーザ機器の下りチャンネルを切り替える原因がセルハンドオーバーである原因情報を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合、前記ソース下りチャンネルによる下りデータの送信を継続するよう前記ＣＵ−ＵＰに指示するためである。
【００１８】
第３の態様において、本願の実施例はハンドオーバー装置をさらに提供し、セントラルノードＣＵと分散ノードＤＵとが分離されているアクセスネットワーク装置において、前記ＣＵがセントラルノード制御プレーンＣＵ−ＣＰとセントラルノードユーザプレーンＣＵ−ＵＰとを備え、前記ハンドオーバー装置は、例えばＣＵ−ＣＰであり、前記ハンドオーバー装置は、
前記ＣＵ−ＣＰがユーザ機器に対してターゲットＤＵを特定するための特定手段と、
前記ＣＵ−ＣＰが、前記ユーザ機器のソース下りチャンネルを前記ターゲットＤＵに対応する下りチャンネルに切り替えるよう前記ＣＵ−ＵＰに指示するためのチャンネル切替指示情報と、前記ソース下りチャンネルによる下りデータの送信を継続するよう前記ＣＵ−ＵＰに指示するための保持指示情報と、を含む通知をＣＵ−ＵＰに送信するための送信手段と、
を備える。
【００１９】
任意選択として、前記保持指示情報は、前記ソース下りチャンネルを一時保持する指示情報、あるいは、前記ユーザ機器の下りチャンネルを切り替える原因がセルハンドオーバーである原因情報を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合、前記ソース下りチャンネルによる下りデータの送信を継続するよう前記ＣＵ−ＵＰに指示するためである。
【００２０】
第４の態様において、本願の実施例は、
セントラルノードユーザプレーンＣＵ−ＵＰがセントラルノード制御プレーンＣＵ−ＣＰから送信した、前記ユーザ機器のソース下りチャンネルをターゲットＤＵに対応する下りチャンネルに切り替えるよう前記ＣＵ−ＵＰに指示するためのチャンネル切替指示情報と、前記ソース下りチャンネルによる下りデータの送信を継続するよう前記ＣＵ−ＵＰに指示するための保持指示情報と、を含む通知を受信するための受信手段と、
前記ＣＵ−ＵＰが前記通知におけるチャンネル切替指示情報に基づき、前記ユーザ機器のソース下りチャンネルを前記ターゲットＤＵに対応する下りチャンネルに切り替えるための切替手段と、
前記ＣＵ−ＵＰが前記通知における保持指示情報に基づき、前記ソース下りチャンネルによる下りデータの送信を継続するための保持手段と、
を備えるハンドオーバー装置、例えば、ＣＵ−ＵＰをさらに提供する。
【００２１】
任意選択として、前記ＣＵ−ＵＰが前記ターゲットＤＵに対応する下りチャンネルによる、前記ターゲットＤＵへの下りデータの送信を開始する時間を特定するための特定手段をさらに含む。
【００２２】
任意選択として、前記特定手段は、具体的に、
前記ＣＵ−ＵＰが、前記ソース下りチャンネルに対応するソースＤＵから送信した、対応する無線リンクの品質情報を持つ検出メッセージを受信し、前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップに用いられる。
【００２３】
任意選択として、前記特定手段は、具体的に、
前記ＣＵ−ＵＰが前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップに用いられる。
【００２４】
任意選択として、前記保持指示情報は、前記ソース下りチャンネルを一時保持する指示情報、あるいは、前記ユーザ機器の下りチャンネルを切り替える原因がセルハンドオーバーである原因情報を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合、前記ソース下りチャンネルによる下りデータの送信を継続するよう前記ＣＵ−ＵＰに指示するためである。
【００２５】
第５の態様において、本願の実施例は、
プログラム命令を記憶するためのメモリと、
前記メモリに記憶されているプログラム命令を呼び出し、得られたプログラムに従って、
ユーザ機器に対してターゲットＤＵを特定するステップ、および
前記ユーザ機器のソース下りチャンネルを前記ターゲットＤＵに対応する下りチャンネルに切り替えるよう前記ＣＵ−ＵＰに指示するためのチャンネル切替指示情報と、前記ソース下りチャンネルによる下りデータの送信を継続するよう前記ＣＵ−ＵＰに指示するための保持指示情報と、を含む通知をＣＵ−ＵＰに送信するステップ、
を実行するプロセッサと、
を備える通信装置、例えばＣＵ−ＣＰをさらに提供する。
【００２６】
任意選択として、前記保持指示情報は、前記ソース下りチャンネルを一時保持する指示情報、あるいは、前記ユーザ機器の下りチャンネルを切り替える原因がセルハンドオーバーである原因情報を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合、前記ソース下りチャンネルによる下りデータの送信を継続するよう前記ＣＵ−ＵＰに指示するためである。
【００２７】
第６の態様において、本願の実施例は、
プログラム命令を記憶するためのメモリと、
前記メモリに記憶されているプログラム命令を呼び出し、得られたプログラムに従って、
セントラルノード制御プレーンＣＵ−ＣＰから送信した、前記ユーザ機器のソース下りチャンネルをターゲットＤＵに対応する下りチャンネルに切り替えるよう前記ＣＵ−ＵＰに指示するためのチャンネル切替指示情報と、前記ソース下りチャンネルによる下りデータの送信を継続するよう前記ＣＵ−ＵＰに指示するための保持指示情報と、を含む通知を受信するステップ、および
前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続するステップ、
を実行するためのプロセッサと、
を備える通信装置、例えばＣＵ−ＵＰをさらに提供する。
【００２８】
任意選択として、前記プロセッサは、さらに、
前記ＣＵ−ＵＰが、前記ターゲットＤＵに対応する下りチャンネルによる、前記ターゲットＤＵへの下りデータの送信を開始する時間を特定するステップに用いられる。
【００２９】
任意選択として、前記プロセッサは、具体的に、
前記ＣＵ−ＵＰが、前記ソース下りチャンネルに対応するソースＤＵから送信した、対応する無線リンクの品質情報を持つ検出メッセージを受信し、前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップに用いられる。
【００３０】
任意選択として、前記プロセッサは、具体的に、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップに用いられる。
【００３１】
任意選択として、前記保持指示情報は、前記ソース下りチャンネルを一時保持する指示情報、あるいは、前記ユーザ機器の下りチャンネルを切り替える原因がセルハンドオーバーである原因情報を含み、前記指示情報は、前記ソース下りチャンネルを一時保持して前記ソース下りチャンネルによる下りデータの送信を継続するよう前記ＣＵ−ＵＰに指示するためであり、前記原因情報は、セルハンドオーバーに起因して下りチャンネル切替が行われた場合、前記ソース下りチャンネルによる下りデータの送信を継続するよう前記ＣＵ−ＵＰに指示するためである。
【００３２】
第７の態様において、本願の実施例は、コンピュータに上記いずれか１種の方法を実行させるためのコンピュータ実行可能な命令が記憶されているコンピュータ読取可能な記憶媒体をさらに提供する。
【００３３】
本願は、下記の有益な効果を有する。
【００３４】
本願の実施例はハンドオーバー方法及び装置を提供し、該方法により、ＣＵ−ＣＰからＣＵ−ＵＰに送信する通知中にチャンネル切替指示情報を持つだけではなく、保持指示情報をさらに含むこととなり、チャンネル切替指示情報により、ユーザ機器のソース下りチャンネルをターゲットＤＵに対応する下りチャンネルに切り替えるようＣＵ−ＵＰに指示することができ、これにより、ユーザ機器とターゲットＤＵとの接続が成功した後、ユーザ機器はターゲットＤＵから送信した下りデータを受信可能にし、保持指示情報により、ソース下りチャンネルによる下りデータの送信を継続できるようＣＵ−ＵＰに指示し、ユーザ機器がターゲットＤＵと接続していない場合でも下りデータを受信することができ、これにより、ＤＵハンドオーバー過程におけるデータ伝送の中断時間を低減し、ユーザエクスペリエンスを向上させる。
【図面の簡単な説明】
【００３５】
【図１】図１はＣＵ／ＤＵ分離の場面での構造概略図である。
【図２】図２はＣＵ−ＣＰ／ＣＵ−ＵＰ分離の場面での構造概略図である。
【図３】図３は本願の実施例が提供するハンドオーバー方法のフローチャートである。
【図４】図４は本願の実施例が提供するもう１つのハンドオーバー方法のフローチャートである。
【図５】図５は実施例１のインタラクティブフローチャートである。
【図６】図６は実施例２のインタラクティブフローチャートである。
【図７】図７は本願の実施例が提供するハンドオーバー装置の構造概略図である。
【図８】図８は本願の実施例が提供するハンドオーバー装置の構造概略図である。
【図９】図９は本願の実施例が提供するハンドオーバー装置の構造概略図である。
【図１０】図１０は本願の実施例が提供するハンドオーバー装置の構造概略図である。
【発明を実施するための形態】
【００３６】
以下、図面を参照しながら、本願の実施例が提供するハンドオーバー方法及び装置の具体的な実施形態を詳しく説明する。なお、説明した実施例は本願の一部の実施例に過ぎず、全ての実施例ではない。本願における実施例に基づき、当業者が創造的な労働をせずに得たその他の実施例が全て本願の保護範囲にある。
【００３７】
まず、本願における一部の用語を、当業者が理解しやすいように解釈、説明する。
【００３８】
１．アクセスネットワーク装置においてＣＵ／ＤＵ分離のアーキテクチャ。
【００３９】
ＣＵは、セントラルノード（Ｃｅｎｔｒａｌ  Ｕｎｉｔ）であり、セントラルユニットとも称され、ＤＵは分散ノード（Ｄｉｓｔｒｉｂｕｔｅ  Ｕｎｉｔ）であり、分散ユニットとも称される。ＣＵ／ＤＵの分離方式は、無線リソース制御（Ｒａｄｉｏ  Ｒｅｓｏｕｒｃｅ  Ｃｏｎｔｒｏｌ，ＲＲＣ）及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ，ＰＤＣＰ）がＣＵ中に配置され、無線リンク制御（Ｒａｄｉｏ  Ｌｉｎｋ  Ｃｏｎｔｒｏｌ，ＲＬＣ）、メディアアクセス制御（Ｍｅｄｉａ  Ａｃｃｅｓｓ  Ｃｏｎｔｒｏｌ，ＭＡＣ）、物理レイヤ、及び無線周波（Ｒａｄｉｏ  Ｆｒｅｑｕｅｎｃｙ，ＲＦ）がＤＵ中に配置される。
【００４０】
図１に示すように、制御プレーンシグナリングについて、ＣＵでは、ＲＲＣメッセージを、ＰＤＣＰレイヤを経て対応するＰＤＣＰデータストリームとなるようにマッピングし、その後、該ＰＤＣＰデータストリームをコンテナ（Ｃｏｎｔａｉｎｅｒ）の形でＣＵ／ＤＵのインタフェースＡＰ（Ａｐｐｌｉｃａｔｉｏｎ  Ｐｒｏｔｏｃｏｌ，アプリケーションプロトコル）メッセージに含ませ、さらに制御プレーンにより伝送する。ＤＵは該データストリームを受信した後に、それを相応するレイヤ２エンティティ上に配信し、引き続いて該データストリームを処理してＲＦによりユーザ機器（Ｕｓｅｒ  Ｅｑｕｉｐｍｅｎｔ，ＵＥ）に送信する。制御プレーンは、ストリームコントロールトランスミッションプロトコル（Ｓｔｒｅａｍ  Ｃｏｎｔｒｏｌ  Ｔｒａｎｓｍｉｓｓｉｏｎ  Ｐｒｏｔｏｃｏｌ，ＳＣＴＰ）プロトコルスタックを用いたので、データ伝送の信頼性が保証される。
【００４１】
ユーザプレーンデータについて、ＣＵとＤＵとの間にデータ無線ベアラ（Ｄａｔａ  Ｒｅｓｏｕｒｃｅ  Ｂｅａｒｅｒ，ＤＲＢ）ごとに１つの専用のユーザプレーンチャンネル（Ｔｕｎｎｅｌ）が構築され、ＣＵは、ＤＲＢに対応するデータをＰＤＣＰで処理した後、相応するチャンネルによりＤＵに伝送する。ここで、異なるＤＵが異なるチャンネルに対応し、かつ、１つのＤＵが１つのチャンネルに対応する。
【００４２】
２．ＣＵにおいてＣＵ−ＣＰ／ＣＵ−ＵＰ分離のアーキテクチャ。
【００４３】
ＣＵ−ＣＰにおけるＣＰは制御プレーン（Ｃｏｎｔｒｏｌ  Ｐｌａｎｅ）であり、制御レイヤとも称され、ＣＵ−ＵＰにおけるＵＰがユーザプレーン（Ｕｓｅｒ  Ｐｌａｎｅ）であり、ユーザレイヤとも称される。
【００４４】
図２に示すように、１つの基地局内に、１つのＣＵ−ＣＰ、複数のＣＵ−ＵＰ及び複数のＤＵを含んでもよく、ここで、１つのＣＵ−ＣＰがＦ１制御インタフェースＦ１−ＣによりＤＵに接続され、１つのＣＵ−ＵＰがＦ１ユーザインタフェースＦ１−ＵによりＤＵに接続され、１つのＣＵ−ＵＰがインタフェースＥ１によりＣＵ−ＣＰに接続され、１つのＤＵが１つのＣＵ−ＣＰにしか接続できず、１つのＣＵ−ＵＰが１つのＣＵ−ＣＰにしか接続できず、１つのＤＵが１つのＣＵ−ＣＰ制御下での複数のＣＵ−ＵＰに接続することができ、１つのＣＵ−ＵＰが１つのＣＵ−ＣＰ制御における複数のＤＵに接続することができる。
【００４５】
出願人は、研究したところ、ＣＵ／ＤＵ分離及びＣＵ−ＣＰ／ＣＵ−ＵＰ分離の場面で、ＵＥが１つの基地局下でのＤＵ１からＤＵ２にハンドオーバーされると、相応するＣＵ−ＵＰがＣＵ−ＣＰの命令に基づいて下りチャンネルをハンドオーバーすることとなり、このようにして、ＵＥがＤＵ２にアクセスする過程において、ＤＵ１からＵＥに送信する下りデータがなく、一方、ＤＵ２はまだＵＥとの接続が成功していないのでデータの送受信もできず、長時間のデータ送信中断を引き起こし、最後にユーザエクスペリエンスが影響されることを見出した。
【００４６】
これに基づき、本願の実施例は、ＣＵ−ＣＰ／ＣＵ−ＵＰ分離の場面で、ＤＵハンドオーバー過程におけるデータ伝送の中断時間を低減し、ユーザエクスペリエンスを向上させるためのハンドオーバー方法及び装置を提供する。
【００４７】
以下、図面を参照しながら本願の具体的な実施形態を説明する。
【００４８】
具体的に、本願の実施例は、アクセスネットワーク装置を提供し、該装置はＣＵ−ＣＰとＣＵ−ＵＰとを含んでもよい。
【００４９】
ＣＵ−ＣＰは、ユーザ機器に対してターゲットＤＵを特定し、その後、ＣＵ−ＵＰに通知を送信するためである。
【００５０】
ＣＵ−ＵＰは、ＣＵ−ＣＰから送信した通知を受信し、その後、通知におけるチャンネル切替指示情報に基づき、ユーザ機器のソース下りチャンネルをターゲットＤＵに対応する下りチャンネルに切り替え、通知における保持指示情報に基づき、ソース下りチャンネルによる下りデータの送信を継続するためである。
【００５１】
任意選択として、本願の実施例において、ＣＵ−ＣＰからＣＵ−ＵＰへ送信する通知は、ベアラ修正（Ｂｅａｒｅｒ  ｍｏｄｉｆｉｃａｔｉｏｎ  ｐｒｏｃｅｄｕｒｅ）メッセージの形で送信することができ、かつ、ＣＵ−ＣＰからＣＵ−ＵＰへ送信する通知中に、チャンネル切替指示情報と保持指示情報とを含んでもよく、ここで、チャンネル切替指示情報は、ユーザ機器のソース下りチャンネルをターゲットＤＵに対応する下りチャンネルに切り替えるようＣＵ−ＵＰに指示するためであり、保持指示情報は、ソース下りチャンネルによる下りデータの送信を継続するようＣＵ−ＵＰに指示するためである。ＣＵ−ＣＰから送信する通知により、ＣＵ−ＵＰが該通知に基づき、ユーザ機器の下りチャンネルを切り替えることができ、同時に、ソース下りチャンネルによる下りデータの送信を継続できるようＣＵ−ＵＰに指示し、これにより、ＤＵハンドオーバー過程におけるデータ伝送の中断時間を低減し、ユーザエクスペリエンスを向上させる。
【００５２】
なお、実際のＤＵハンドオーバー過程において、次のようなことが存在する可能性がある。ＣＵ−ＣＰからＣＵ−ＵＰへ通知を送信する過程において、ソース下りチャンネルの無線リンク品質（ＲＡＤＩＯ  ｌｉｎｋ  ｑｕａｌｉｔｙ）はまだデータ伝送の要求を満足できるが、時間が経過するにつれて、ＣＵ−ＵＰが通知を受信した後に通知における保持指示情報に従って相応する操作を実行しようとする時に、ソース下りチャンネルの無線リンク品質も同様にデータ伝送の要求を満足できれば、この場合、ＣＵ−ＵＰはソース下りチャンネルによる下りデータの送信を継続することができ、これにより、ＤＵハンドオーバー過程におけるデータ伝送の中断時間を低減することができる。もしＣＵ−ＵＰが通知を受信した後に通知における保持指示情報に従って相応する操作を実行しようとする時に、ソース下りチャンネルの無線リンク品質がデータ伝送の要求を満足できない場合、ＣＵ−ＵＰはソース下りチャンネルによる下りデータの送信を継続できなくなる。
【００５３】
従って、ＣＵ−ＵＰが通知を受信した後に、通知における保持指示情報に従い、ＣＵ−ＵＰが、ソース下りチャンネルへの下りデータの送信を継続することができるが、具体的に送信成功か否かは、ソース下りチャンネルの無線リンク品質にも関連する。
【００５４】
任意選択として、本願の実施例において、ＣＵ−ＣＰからＣＵ−ＵＰへ送信する通知中に含まれる保持指示情報は、具体的に、ソース下りチャンネルを一時保持する指示情報、あるいは、ユーザ機器の下りチャンネルを切り替える原因がセルハンドオーバーである原因情報であってもよく、前記指示情報は、ソース下りチャンネルを一時保持してソース下りチャンネルによる下りデータの送信を継続するようＣＵ−ＵＰに指示するためであり、前記原因情報は、セルハンドオーバーに起因して下りチャンネル切替が行われた場合、ソース下りチャンネルによる下りデータの送信を継続するようＣＵ−ＵＰに指示するためである。
【００５５】
つまり、ＣＵ−ＣＰは、２つの方式により、ソース下りチャンネルによる下りデータの送信を継続できるようＣＵ−ＵＰに指示することができる。第１の方式において、ＣＵ−ＣＰは、ＣＵ−ＵＰが実行すべき操作を間接な方式で報知することができ、例えば保持指示情報においてユーザ機器の下りチャンネルを切り替える原因がセルハンドオーバーであることをＣＵ−ＵＰに報知し、このようにして、ＣＵ−ＵＰが、原因を明らかにした上でソース下りチャンネルによる下りデータの送信を継続することができる。第２の方式において、ＣＵ−ＣＰは、保持指示情報においてＣＵ−ＵＰが実行すべき動作を直接に明示することができ、これにより、ＣＵ−ＵＰは保持指示情報を受信した後、ソース下りチャンネルを一時保持してソース下りチャンネルによる下りデータの送信を継続する操作を直接に実行することができ、処理速度を加速することができる。
【００５６】
任意選択として、本願の実施例において、ユーザ機器がターゲットＤＵとの接続を完了した後、この時、ＣＵ−ＵＰが、ターゲットＤＵに対応する下りチャンネルによる下りデータの送信を開始する必要があり、これによりユーザ機器の通信を正常に保証する。ここで、ＣＵ−ＵＰがターゲットＤＵに対応する下りチャンネルによりターゲットＤＵへの下りデータの送信を開始する時間をどのように特定するか、非常に重要となっている。
【００５７】
具体的に、ＣＵ−ＵＰがターゲットＤＵに対応する下りチャンネルによりターゲットＤＵへの下りデータの送信を開始する時間を特定する際に、下記２つの実現方式を採用することができる。
【００５８】
第１の実現方式において、ソースＤＵに対応する無線リンクの品質情報に基づき、ＣＵ−ＵＰがターゲットＤＵに対応する下りチャンネルによりターゲットＤＵへの下りデータの送信を開始する時間を特定する。
【００５９】
ここで、ユーザプレーンデータについて、ＣＵ−ＵＰがＣＵ−ＣＰから送信した通知を受信した後、依然としてソース下りチャンネルにより下りデータを送信する場合、ソースＤＵは、引き続いてユーザプレーンにおいて対応する無線リンクの品質情報を持つ検出メッセージをＣＵ−ＵＰに送信し、かつ、ソースＤＵとソース下りチャンネルとが互いに対応している。
【００６０】
ＣＵ−ＵＰは、ソースＤＵに対応する無線リンクの品質が所定条件を満足すると特定した場合、もし該所定条件はソースＤＵに対応する無線リンクの品質が閾値未満であるとすれば、つまり、ＣＵ−ＵＰはソース下りチャンネルの無線リンクの品質が非常に悪く、データ送信を継続できないことを発見した場合、ＣＵ−ＵＰはターゲットＤＵに対応する下りチャンネルによりターゲットＤＵへの下りデータの送信を開始することができると特定し、同時に、ソース下りチャンネルによる下りデータの送信を停止する。
【００６１】
もちろん、本願の実施例の上記内容に言及される所定条件は、ソースＤＵに対応する無線リンクの品質が閾値未満であることに限られず、その他の条件であってもよく、ここでは限定しない。
【００６２】
第２の実現方式において、ターゲットＤＵが提供する、ユーザ機器との接続成功メッセージに基づき、ＣＵ−ＵＰがターゲットＤＵに対応する下りチャンネルによりターゲットＤＵへの下りデータの送信を開始する時間を特定する。
【００６３】
ここで、ユーザプレーンデータについて、ＣＵ−ＵＰがＣＵ−ＣＰから送信した通知を受信した後、依然としてソース下りチャンネルにより下りデータを送信する場合、ソースＤＵは、引き続いてユーザプレーンにおいて対応する無線リンクの品質情報を持つ検出メッセージをＣＵ−ＵＰに送信し、かつ、ソースＤＵとソース下りチャンネルとが互いに対応している。
【００６４】
しかし、この実現方式において、ソース下りチャンネルの無線リンクの品質に基づいてターゲットＤＵに対応する下りチャンネルによりターゲットＤＵへの下りデータの送信を開始する時間を特定するのではないので、ＣＵ−ＵＰはソースＤＵがユーザプレーンにおいて送信した検出情報を受信しても、該検出情報に応えない。
【００６５】
また、ユーザ機器とターゲットＤＵとの接続が成功した場合、ターゲットＤＵは、接続成功メッセージをＣＵ−ＵＰに送信し、ＣＵ−ＵＰに、自体とユーザ機器との接続が既に完成し、データ伝送ができることを通知する。従って、この時、ＣＵ−ＵＰは、ターゲットＤＵに対応する下りチャンネルによりターゲットＤＵへの下りデータの送信を開始するとともに、ソース下りチャンネルによる下りデータの送信を停止することができる。
【００６６】
具体的に実施する際に、ユーザ機器のためのターゲットＤＵの特定を可能にするために、本願の実施例において、ＣＵ−ＣＰがユーザ機器に対してターゲットＤＵを特定する際に、下記の過程を採用することができる。
【００６７】
ステップ１：ユーザ機器はハンドオーバー要求メッセージをＣＵ−ＣＰに送信する。
【００６８】
ここで、該ハンドオーバー要求メッセージ中にソースＤＵの関連情報、例えばソースＤＵの識別子、ソースＤＵに対応する下りチャンネル番号等を持ち、かつ、該ハンドオーバー要求メッセージ中に周辺セルの無線リンクの品質情報をさらに持ち、つまり、ユーザ機器は、ＣＵ−ＣＰがターゲットＤＵを容易に特定するように、周辺セルの無線リンク品質を測定し、その後、測定結果をまとめた後にＣＵ−ＣＰに送信する。
【００６９】
ステップ２：ＣＵ−ＣＰはハンドオーバー請求に基づき、条件を満たすターゲットセルを選択し、ユーザコンテキスト作成要求（ＵＥ  ｃｏｎｔｅｘｔ  ｓｅｔｕｐ要求）を候補ＤＵに送信する。
【００７０】
ここで、条件を満たすターゲットセルとは、ターゲットセルの無線リンクの品質が良く、優れた品質のサービスを提供することができると理解されてもよい。かつ、１つの基地局中に複数のセルを含み、１つのセルが１つのＤＵに対応するので、ターゲットセルを選択した後、ターゲットセルに対応するＤＵを選択することができ、ここで、ターゲットセルに対応するＤＵを候補ＤＵと称する。
【００７１】
ステップ３：候補ＤＵは、ＵＥコンテキスト作成要求に基づき、ユーザ機器に対してリソースを提供できると特定した場合、フィードバックメッセージをＣＵ−ＣＰに送信する。
【００７２】
ここで、候補ＤＵがユーザ機器に対してリソース及びサービスを提供できなくなった場合、候補ＤＵがターゲットＤＵではないことを示すので、ＣＵ−ＣＰは候補ＤＵを改めて特定し、即ち、引き続いてステップ２を繰り返す必要があり、もし候補ＤＵがユーザ機器に対してリソース及びサービスを提供できる場合、候補ＤＵがターゲットＤＵであると特定することができる。
【００７３】
かつ、候補ＤＵがユーザ機器に対してリソースを提供できるか否かを特定する方式は、ユーザ機器のコンテキストを作成することであってもよく、作成成功であれば、ユーザ機器に対してリソースを提供できることを示す。
【００７４】
ステップ４：ＣＵ−ＣＰはフィードバックメッセージを受信した後、該候補ＤＵをターゲットＤＵであると特定する。
【００７５】
具体的に実施する際に、本願の実施例において、ＣＵ−ＵＰは通知におけるチャンネル切替指示情報に基づいてユーザ機器の下りチャンネルを切り替え、かつ通知における保持指示情報に基づいてソース下りチャンネルによる下りデータの送信を継続することができると特定した後、ユーザ機器とターゲットＤＵとの接続過程を行う必要があり、具体的に下記の過程を採用することができる。
【００７６】
ステップ１：ＣＵ−ＣＰはユーザコンテキスト修正要求（ＵＥ  ｃｏｎｔｅｘｔ  ｍｏｄｉｆｉｃａｔｉｏｎ  ｒｅｑｕｅｓｔ）メッセージをソースＤＵに送信する。
【００７７】
ここで、ＵＥコンテキスト修正要求メッセージ中に無線リソース制御コンテナ（ＲＲＣ  ｃｏｎｔａｉｎｅｒ）を持っている。
【００７８】
ステップ２：ソースＤＵは、無線リソース制御再設定（ＲＲＣ  ｒｅｃｏｎｆｉｇｕｒａｔｉｏｎ）メッセージをユーザ機器に送信する。
【００７９】
ステップ３：ユーザ機器は、ターゲットＤＵへ、ランダムアクセス手順を開始する。
【００８０】
ここで、ランダムアクセスチャンネル（Ｒａｄｏｍ  Ａｃｃｅｓｓ  Ｃｈａｎｎｅｌ，ＲＡＣＨ）によりランダムアクセスを完成することができる。
【００８１】
ステップ４：ユーザ機器がアクセス手順を完成し、無線リソース制御再設定完了（ＲＲＣ  ｒｅｃｏｎｆｉｇｕｒａｔｉｏｎ  ｃｏｍｐｌｅｔｅ）メッセージをターゲットＤＵに送信し、ターゲットＤＵとの接続を完成する。
【００８２】
なお、本願の実施例において、ＣＵ−ＵＰが通知におけるチャンネル切替指示情報に基づいてユーザ機器の下りチャンネルを切り替え、かつ通知における保持指示情報に基づいてソース下りチャンネルによる下りデータの送信を継続することができると特定した後に、ユーザ機器とターゲットＤＵとの接続過程は、具体的に従来技術における接続過程を参照することができ、ここでは詳述しない。
【００８３】
同一構想に基づき、本願の実施例は、ＣＵ−ＣＰ側に適用されるハンドオーバー方法を提供し、図３に示すように、該ハンドオーバー方法は下記のステップを含んでもよい。
【００８４】
Ｓ３０１：セントラルノード制御プレーンＣＵ−ＣＰは、ユーザ機器に対してターゲットＤＵを特定する。
【００８５】
ここで、ＣＵ−ＣＰはユーザ機器に対してターゲットＤＵを特定する際に、ユーザ機器からＣＵ−ＣＰに提供した、周辺セルの無線リンクの品質についての測定結果に基づいて特定することができ、具体的には上記の内容を参照することができ、ここでは詳述しない。
【００８６】
Ｓ３０２：セントラルノード制御プレーンＣＵ−ＣＰは、ユーザ機器のソース下りチャンネルをターゲットＤＵに対応する下りチャンネルに切り替えるようセントラルノードユーザプレーンＣＵ−ＵＰに指示するためのチャンネル切替指示情報と、ソース下りチャンネルによる下りデータの送信を継続するようセントラルノードユーザプレーンＣＵ−ＵＰに指示するため保持指示情報と、を含む通知をセントラルノードユーザプレーンＣＵ−ＵＰに送信する。
【００８７】
また、ユーザ機器とターゲットＤＵとの接続過程について、具体的に上記の内容を参照することができ、ここでは詳述しない。
【００８８】
該方法により、ＣＵ−ＣＰからＣＵ−ＵＰへ送信する通知中に、チャンネル切替指示情報を持つだけではなく、保持指示情報をさらに含み、チャンネル切替指示情報により、ユーザ機器のソース下りチャンネルをターゲットＤＵに対応する下りチャンネルに切り替えるようＣＵ−ＵＰに指示することができ、これにより、ユーザ機器とターゲットＤＵとの接続が成功した後、ユーザ機器はターゲットＤＵから送信する下りデータを受信することができる。保持指示情報により、ソース下りチャンネルによる下りデータの送信を継続できるようＣＵ−ＵＰに指示し、ユーザ機器は、ターゲットＤＵと接続されていない場合でも、下りデータを受信可能となり、ＤＵハンドオーバー過程におけるデータ伝送の中断時間を低減し、ユーザエクスペリエンスを向上させる。
【００８９】
任意選択として、保持指示情報は、ソース下りチャンネルを一時保持する指示情報、あるいは、ユーザ機器の下りチャンネルを切り替える原因がセルハンドオーバーである原因情報を含んでもよく、前記指示情報は、ソース下りチャンネルを一時保持してソース下りチャンネルによる下りデータの送信を継続するようＣＵ−ＵＰに指示するためであり、前記原因情報は、セルハンドオーバーに起因して下りチャンネル切替が行われた場合、ソース下りチャンネルによる下りデータの送信を継続するようＣＵ−ＵＰに指示するためである。
【００９０】
これにより、保持指示情報の内容を設置する際に、ソース下りチャンネルを一時保持する指示情報に限られず、ユーザ機器の下りチャンネルをハンドオーバーする原因情報であってもよく、これにより、ＣＵ−ＵＰはソース下りチャンネルによる下りデータの送信を継続することができ、保持指示情報設置の柔軟性を増加することができる。
【００９１】
同一構想に基づき、本願の実施例は、ＣＵ−ＵＰ側に適用されるハンドオーバー方法を提供し、図４に示すように、該ハンドオーバー方法は下記のステップを含んでもよい。
【００９２】
Ｓ４０１：セントラルノードユーザプレーンＣＵ−ＵＰは、セントラルノード制御プレーンＣＵ−ＣＰから送信した通知を受信する。
【００９３】
ここで、通知は、チャンネル切替指示情報と保持指示情報とを含んでもよく、チャンネル切替指示情報は、ユーザ機器のソース下りチャンネルをターゲットＤＵに対応する下りチャンネルに切り替えるようＣＵ−ＵＰに指示するためであり、保持指示情報は、ソース下りチャンネルによる下りデータの送信を継続するようＣＵ−ＵＰに指示するためである。
【００９４】
Ｓ４０２：セントラルノードユーザプレーンＣＵ−ＵＰは、通知におけるチャンネル切替指示情報に基づき、ユーザ機器のソース下りチャンネルをターゲットＤＵに対応する下りチャンネルに切り替え、通知における保持指示情報に基づき、ソース下りチャンネルによる下りデータの送信を継続する。
【００９５】
該方法により、ＣＵ−ＣＰからＣＵ−ＵＰへ送信する通知中に、チャンネル切替指示情報を持つだけではなく、さらに保持指示情報を含み、チャンネル切替指示情報により、ユーザ機器のソース下りチャンネルをターゲットＤＵに対応する下りチャンネルに切り替えるようＣＵ−ＵＰに指示することができ、これにより、ユーザ機器とターゲットＤＵとの接続が成功した後、ユーザ機器は、ターゲットＤＵから送信した下りデータを受信可能となり、保持指示情報により、ソース下りチャンネルによる下りデータの送信を継続できるようＣＵ−ＵＰに指示し、ユーザ機器は、ターゲットＤＵと接続されていない場合でも、下りデータを受信可能となり、これにより、ＤＵハンドオーバー過程におけるデータ伝送の中断時間を低減し、ユーザエクスペリエンスを向上させる。
【００９６】
任意選択として、本願の実施例における上記ステップＳ４０２の後に、さらに下記のステップを含んでもよい。
【００９７】
ＣＵ−ＵＰが、ターゲットＤＵに対応する下りチャンネルによりターゲットＤＵへの下りデータの送信を開始する時間を特定する。
【００９８】
これにより、ＣＵ−ＵＰがいつターゲットＤＵへ下りデータを送信するかを特定することができる。
【００９９】
任意選択として、本願の実施例において、ＣＵ−ＵＰがターゲットＤＵに対応する下りチャンネルによりターゲットＤＵへの下りデータの送信を開始する時間を特定するステップは、具体的に下記のステップを含んでもよい。
【０１００】
ＣＵ−ＵＰは、ソース下りチャンネルに対応するソースＤＵから送信した、対応する無線リンクの品質情報を持つ検出メッセージを受信する。
【０１０１】
ＣＵ−ＵＰは、ソースＤＵに対応する無線リンクの品質が所定条件を満足すると特定した場合、ＣＵ−ＵＰは、ソース下りチャンネルによる下りデータの送信を停止し、ターゲットＤＵに対応する下りチャンネルによりターゲットＤＵへの下りデータの送信を開始する。
【０１０２】
上記ステップＳ４０２の後に、ソースＤＵは引き続いてユーザプレーンにおいて対応する無線リンクの品質情報を持つ検出情報をＣＵ−ＵＰに送信するので、ＣＵ−ＵＰはソース下りチャンネルの無線リンクの品質状况を知ることができ、無線リンクの品質が所定条件を満足できない場合、ＣＵ−ＵＰはソース下りチャンネルにより引き続きの下りデータの送信を停止し、ターゲットＤＵに対応する下りチャンネルにより下りデータを送信することができ、ＤＵハンドオーバー過程におけるデータ伝送の中断時間を低減することができる。
【０１０３】
具体的に、本願の実施例において、所定条件は、ソースＤＵに対応する無線リンクの品質が閾値未満であると設置することができるが、これに限られず、かつ、該閾値は、各種の使用場面への要求を満足するように、実際の状況に応じて設定することができる。
【０１０４】
任意選択として、本願の実施例において、ＣＵ−ＵＰがターゲットＤＵに対応する下りチャンネルによりターゲットＤＵへの下りデータの送信を開始する時間を特定するステップは、具体的に下記のステップを含んでもよい。
【０１０５】
ＣＵ−ＵＰはターゲットＤＵから送信した接続成功メッセージを受信した場合、ＣＵ−ＵＰはソース下りチャンネルによる下りデータの送信を停止し、ターゲットＤＵに対応する下りチャンネルによりターゲットＤＵへの下りデータの送信を開始する。
【０１０６】
ユーザ機器とターゲットＤＵとの接続が成功した後、ターゲットＤＵは、接続成功メッセージをＣＵ−ＵＰに送信することができるので、ＣＵ−ＵＰは、該接続成功メッセージを受信した場合、ソース下りチャンネルによるデータ送信を停止し、ターゲットＤＵに対応する下りチャンネルにより下りデータを送信することができ、ＤＵハンドオーバー過程におけるデータ伝送の中断時間を低減することができる。
【０１０７】
以下、具体的な実施例を合わせて、本願の実施例が提供する上記ハンドオーバー方法を説明する。
【０１０８】
実施例１
【０１０９】
図５に示すインタラクティブフローチャートを合わせて、ソースＤＵに対応する無線リンクの品質情報に基づいてＣＵ−ＵＰがターゲットＤＵに対応する下りチャンネルによりターゲットＤＵへの下りデータの送信を開始する時間を特定する例を挙げて説明する。
【０１１０】
Ｓ５０１：ＵＥが周辺セルの無線リンク品質（ＲＡＤＩＯ  ｌｉｎｋ  ｑｕａｌｉｔｙ）の測定結果をＣＵ−ＣＰに提供する。
【０１１１】
Ｓ５０２：ＣＵ−ＣＰが測定結果に基づいて適切なターゲットＤＵを選択し、かつターゲットＤＵがＵＥコンテキスト作成（ＵＥ  ｃｏｎｔｅｘｔ  ｓｅｔｕｐ）要求を送信し、ターゲットＤＵにＵＥのコンテキストを作成させる。
【０１１２】
Ｓ５０３：ＣＵ−ＣＰが、ＣＵ−ＵＰにベアラ修正処理（ｂｅａｒｅｒ  ｍｏｄｉｆｉｃａｔｉｏｎ  ｐｒｏｃｅｄｕｒｅ）メッセージを送信する。
【０１１３】
Ｓ５０４：ＣＵ−ＵＰが、ＵＥの下りチャンネルを更新し、同時に、引き続いてソースＤＵに下りデータを送信することができる。
【０１１４】
Ｓ５０５：ソースＤＵが、無線リンク品質メッセージをＣＵ−ＵＰに送信する。
【０１１５】
Ｓ５０６：ＣＵ−ＣＰが、ＲＲＣコンテナ（ＲＲＣ  ｃｏｎｔａｉｎｅｒ）を持つＵＥコンテキスト修正要求メッセージをソースＤＵに送信する。
【０１１６】
Ｓ５０７：ソースＤＵが、ＲＲＣ再設定（ＲＲＣ  ｒｅｃｏｎｆｉｇｕｒａｔｉｏｎ）メッセージをＵＥに送信する。
【０１１７】
Ｓ５０８：ＵＥが、ターゲットＤＵへランダムアクセス手順を開始する。
【０１１８】
Ｓ５０９：ＵＥが、アクセス手順を完成し、ＲＲＣ再設定完了（ＲＲＣ  ｒｅｃｏｎｆｉｇｕｒａｔｉｏｎ  ｃｏｍｐｌｅｔｅ）メッセージをターゲットＤＵに送信する。
【０１１９】
Ｓ５１０：ソースＤＵに対応する無線リンク品質が悪い場合、ＣＵ−ＣＰは、ターゲットＤＵに対応する下りチャンネルによりターゲットＤＵへの下りデータの送信を開始する。
【０１２０】
実施例２
【０１２１】
図６に示すインタラクティブフローチャートを合わせて、ターゲットＤＵが提供した、ユーザ機器との接続成功メッセージに基づき、ＣＵ−ＵＰがターゲットＤＵに対応する下りチャンネルによりターゲットＤＵへの下りデータの送信を開始する時間を特定する例を挙げて説明する。
【０１２２】
Ｓ６０１：ＵＥが周辺セルの無線リンク品質（ＲＡＤＩＯ  ｌｉｎｋ  ｑｕａｌｉｔｙ）の測定結果をＣＵ−ＣＰに提供する。
【０１２３】
Ｓ６０２：ＣＵ−ＣＰが測定結果に基づいて適切なターゲットＤＵを選択し、かつ、ターゲットＤＵがＵＥコンテキスト作成要求を送信し、ターゲットＤＵにＵＥのコンテキストを作成させる。
【０１２４】
Ｓ６０３：ＣＵ−ＣＰがベアラ修正処理メッセージをＣＵ−ＵＰに送信する。
【０１２５】
Ｓ６０４：ＣＵ−ＵＰがＵＥの下りチャンネルを更新し、同時に、引き続いてソースＤＵに下りデータを送信することができる。
【０１２６】
Ｓ６０５：ソースＤＵが無線リンク品質メッセージをＣＵ−ＵＰに送信する。
【０１２７】
Ｓ６０６：ＣＵ−ＣＰが、ＲＲＣコンテナを持つＵＥコンテキスト修正要求メッセージをソースＤＵに送信する。
【０１２８】
Ｓ６０７：ソースＤＵがＲＲＣ再設定メッセージをＵＥに送信する。
【０１２９】
Ｓ６０８：ＵＥが、ターゲットＤＵへランダムアクセス手順を開始する。
【０１３０】
Ｓ６０９：ターゲットＤＵは、ＵＥとの接続が成功と特定した後、接続成功メッセージをＣＵ−ＵＰに送信する。
【０１３１】
Ｓ６１０：ＣＵ−ＣＰが、ターゲットＤＵに対応する下りチャンネルによりターゲットＤＵへの下りデータの送信を開始する。
【０１３２】
Ｓ６１１：ＵＥがＲＲＣ再設定完了メッセージをターゲットＤＵに送信する。
【０１３３】
同一構想に基づき、本願の実施例は、ハンドオーバー装置、例えばＣＵ−ＣＰをさらに提供し、図７に示すように、ハンドオーバー装置は、
セントラルノード制御プレーンＣＵ−ＣＰがユーザ機器に対してターゲット分散ノードＤＵを特定するための特定手段７０１と、
ＣＵ−ＣＰが、ユーザ機器のソース下りチャンネルをターゲットＤＵに対応する下りチャンネルに切り替えるようＣＵ−ＵＰに指示するためのチャンネル切替指示情報と、ソース下りチャンネルによる下りデータの送信を継続するようＣＵ−ＵＰに指示するための保持指示情報と、を含む通知をセントラルノードユーザプレーンＣＵ−ＵＰに送信するための送信手段７０２と、
を備えてもよい。
【０１３４】
任意選択として、本願の実施例において、保持指示情報は、ソース下りチャンネルを一時保持する指示情報、あるいは、ユーザ機器の下りチャンネルを切り替える原因がセルハンドオーバーである原因情報を含み、該指示情報は、ソース下りチャンネルを一時保持してソース下りチャンネルによる下りデータの送信を継続するようＣＵ−ＵＰに指示するためであり、該原因情報は、セルハンドオーバーに起因して下りチャンネル切替が行われた場合、ソース下りチャンネルによる下りデータの送信を継続するようＣＵ−ＵＰに指示するためである。
【０１３５】
同一構想に基づき、本願の実施例は、通信装置、例えばＣＵ−ＣＰをさらに提供し、図８に示すように、
プログラム命令を記憶するためのメモリ８０１と、
メモリに記憶されているプログラム命令を呼び出し、得られたプログラムに従って、
ユーザ機器に対してターゲットＤＵを特定するステップと、
ユーザ機器のソース下りチャンネルをターゲットＤＵに対応する下りチャンネルに切り替えるようＣＵ−ＵＰに指示するためのチャンネル切替指示情報と、ソース下りチャンネルによる下りデータの送信を継続するようＣＵ−ＵＰに指示するための保持指示情報と、を含む通知をＣＵ−ＵＰに送信するステップと、
を実行するためのプロセッサ８０２と、を備える。
【０１３６】
任意選択として、本願の実施例において、保持指示情報は、ソース下りチャンネルを一時保持する指示情報、あるいは、ユーザ機器の下りチャンネルを切り替える原因がセルハンドオーバーである原因情報を含み、該指示情報は、ソース下りチャンネルを一時保持してソース下りチャンネルによる下りデータの送信を継続するようＣＵ−ＵＰに指示するためであり、該原因情報は、セルハンドオーバーに起因して下りチャンネル切替が行われた場合、ソース下りチャンネルによる下りデータの送信を継続するようＣＵ−ＵＰに指示するためである。
【０１３７】
任意選択として、本願の実施例において、ハンドオーバー装置は、ネットワークインタフェース８０３をさらに含んでもよく、該ネットワークインタフェース８０３は、プロセッサ８０２の制御におけるデータ送受信に適用可能である。
【０１３８】
ここで、図８において、バスアーキテクチャは、任意数の相互接続するバスとブリッジを含んでもよく、具体的には、プロセッサ８０２で代表される１つ又は複数のプロセッサ及びメモリ８０１で代表されるメモリの各種の回路によりリンクされてなる。バスアーキテクチャは、さらに、例えば周辺装置、電圧レギュレータ及び電力管理回路等のような各種の他の回路をリンクすることができ、これらはいずれも本分野に周知されているので、本明細書ではその説明を省略する。バスインタフェースはインタフェースを提供する。ネットワークインタフェース８０３は複数の素子であってもよく、即ち、送信機と受信機とを含み、伝送媒体において各種の他の装置と通信するための手段を提供する。異なるユーザ機器に対して、ユーザインタフェースは、さらに必要な装置を外部接続、内部接続することができるインタフェースであってもよく、接続する装置は、キーパッド、ディスプレイ、スピーカー、マイクロフォン、操縦レバー等を含むが、これらに限られない。
【０１３９】
プロセッサ８０２は、バスアーキテクチャ及び通常の処理を管理し、メモリ８０１は、プロセッサ８０２が操作を実行するときに使用するデータを記憶することができる。
【０１４０】
本願の実施例におけるプロセッサ８０２は、中央処理装置（ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）又はプログラム可能論理回路（Ｃｏｍｐｌｅｘ  Ｐｒｏｇｒａｍｍａｂｌｅ  Ｌｏｇｉｃ  Ｄｅｖｉｃｅ，ＣＰＬＤ）であってもよい。
【０１４１】
同一構想に基づき、本願の実施例は、ハンドオーバー装置、例えばＣＵ−ＵＰをさらに提供し、図９に示すように、ハンドオーバー装置は、
セントラルノードユーザプレーンＣＵ−ＵＰがセントラルノード制御プレーンＣＵ−ＣＰから送信した、ユーザ機器のソース下りチャンネルをターゲットＤＵに対応する下りチャンネルに切り替えるようＣＵ−ＵＰに指示するためのチャンネル切替指示情報と、ソース下りチャンネルによる下りデータの送信を継続するようＣＵ−ＵＰに指示するための保持指示情報と、を含む通知を受信するための受信手段９０１と、
ＣＵ−ＵＰが通知におけるチャンネル切替指示情報に基づいてユーザ機器のソース下りチャンネルをターゲットＤＵに対応する下りチャンネルに切り替えるための切替手段９０２と、
ＣＵ−ＵＰが通知における保持指示情報に基づいてソース下りチャンネルによる下りデータの送信を継続するための保持手段９０３と、
を備えてもよい。
【０１４２】
任意選択として、本願の実施例において、図９に示すように、さらに、
ＣＵ−ＵＰが、ターゲットＤＵに対応する下りチャンネルによりターゲットＤＵへの下りデータの送信を開始する時間を特定するための特定手段９０４を備えてもよい。
【０１４３】
任意選択として、本願の実施例において、特定手段９０４は、具体的に、ＣＵ−ＵＰがソース下りチャンネルに対応するソースＤＵから送信した、対応する無線リンクの品質情報を持つ検出メッセージを受信するためであり、ＣＵ−ＵＰが、ソースＤＵに対応する無線リンクの品質が所定条件を満足すると特定した場合、ＣＵ−ＵＰがソース下りチャンネルによる下りデータの送信を停止し、ターゲットＤＵに対応する下りチャンネルによりターゲットＤＵへの下りデータの送信を開始する。
【０１４４】
任意選択として、本願の実施例において、特定手段９０４は、具体的に、ＣＵ−ＵＰがターゲットＤＵから送信した接続成功メッセージを受信した場合、ＣＵ−ＵＰがソース下りチャンネルによる下りデータの送信を停止し、ターゲットＤＵに対応する下りチャンネルによりターゲットＤＵへの下りデータの送信を開始するためである。
【０１４５】
同一構想に基づき、本願の実施例は、通信装置をさらに提供し、図１０に示すように、
プログラム命令を記憶するためのメモリ１００１と、
メモリに記憶されているプログラム命令を呼び出し、得られたプログラムに従って、
セントラルノード制御プレーンＣＵ−ＣＰから送信した、ユーザ機器のソース下りチャンネルをターゲットＤＵに対応する下りチャンネルに切り替えるようセントラルノードユーザプレーンＣＵ−ＵＰに指示するためのチャンネル切替指示情報と、ソース下りチャンネルによる下りデータの送信を継続するようＣＵ−ＵＰに指示するための保持指示情報と、を含む通知を受信するステップと、
通知におけるチャンネル切替指示情報に基づき、ユーザ機器のソース下りチャンネルをターゲットＤＵに対応する下りチャンネルに切り替え、通知における保持指示情報に基づき、ソース下りチャンネルによる下りデータの送信を継続するステップと、
を実行するためのプロセッサ１００２と、を備えてもよい。
【０１４６】
任意選択として、前記プロセッサは、さらに下記のステップを実行する。
【０１４７】
前記ＣＵ−ＵＰが前記ターゲットＤＵに対応する下りチャンネルによる、前記ターゲットＤＵへの下りデータの送信を開始する時間を特定する。
【０１４８】
任意選択として、前記プロセッサは、具体的に、前記ＣＵ−ＵＰが、前記ソース下りチャンネルに対応するソースＤＵから送信した、対応する無線リンクの品質情報を持つ検出メッセージを受信するステップを実行し、前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始する。
【０１４９】
任意選択として、前記プロセッサは、具体的に、前記ＣＵ−ＵＰが前記ターゲットＤＵから送信した接続成功メッセージを受信した場合、前記ＣＵ−ＵＰが前記ソース下りチャンネルによる下りデータの送信を停止し、前記ターゲットＤＵに対応する下りチャンネルによる、前記ターゲットＤＵへの下りデータの送信を開始するステップを実行する。
【０１５０】
任意選択として、前記保持指示情報は、前記ソース下りチャンネルを一時保持する指示情報、あるいは、前記ユーザ機器の下りチャンネルを切り替える原因がセルハンドオーバーである原因情報を含み、指示情報は、前記ソース下りチャンネルを一時保持して前記ソース下りチャンネルによる下りデータの送信を継続するよう前記ＣＵ−ＵＰに指示するためであり、原因情報は、セルハンドオーバーに起因して下りチャンネル切替が行われた場合、前記ソース下りチャンネルによる下りデータの送信を継続するよう前記ＣＵ−ＵＰに指示するためである。
【０１５１】
任意選択として、本願の実施例において、ハンドオーバー装置は、ネットワークインタフェース１００３をさらに備えてもよく、該ネットワークインタフェース１００３は、プロセッサ１００２の制御におけるデータ送受信に用いることができる。
【０１５２】
ここで、図１０において、バスアーキテクチャは任意数の相互接続するバスとブリッジを含んでもよく、具体的には、プロセッサ１００２で代表される１つ又は複数のプロセッサとメモリ１００１で代表されるメモリの各種の回路がリンクされてなる。バスアーキテクチャは、さらに、例えば周辺装置、電圧レギュレータ及び電力管理回路等のような各種の他の回路をリンクすることができ、これらはいずれも本分野に周知されているので、本明細書では詳述しない。バスインタフェースはインタフェースを提供する。ネットワークインタフェース１００３は複数の素子であってもよく、即ち、送信機と受信機とを含み、伝送媒体において各種の他の装置と通信するための手段を提供する。異なるユーザ機器に対して、ユーザインタフェースは、さらに、必要な装置を外部接続、内部接続するインタフェースであってもよく、接続する装置は、キーパッド、ディスプレイ、スピーカー、マイクロフォン、操縦レバー等を含むが、これらに限られない。
【０１５３】
プロセッサ１００２は、バスアーキテクチャ及び通常の処理を管理し、メモリ１００１は、プロセッサ１００２が操作を実行する時に使用するデータを記憶することができる。
【０１５４】
本願の実施例におけるプロセッサ１００２は、中央処理装置（ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ，ＦＰＧＡ）又はプログラム可能な複合論理デバイス（Ｃｏｍｐｌｅｘ  Ｐｒｏｇｒａｍｍａｂｌｅ  Ｌｏｇｉｃ  Ｄｅｖｉｃｅ，ＣＰＬＤ）であってもよい。
【０１５５】
なお、本願の実施例に言及される任意のメモリは、読み出し専用メモリ（ＲＯＭ）及びランダムアクセスメモリ（ＲＡＭ）を含んでもよく、メモリに記憶されているプログラム命令及びデータをプロセッサに提供する。本願の実施例において、メモリは、本願の実施例が提供するいずれかの方法のプログラムを記憶するためである。プロセッサは、メモリに記憶されているプログラム命令を呼び出すことにより、プロセッサは、得られたプログラム命令に従って本願の実施例が提供するいずれかの方法を実行するためである。
【０１５６】
同一構想に基づき、本願の実施例は、コンピュータに上記のいずれかの方法を実行させるためのコンピュータ実行可能な命令が記憶されているコンピュータ読取可能な記憶媒体を提供する。
【０１５７】
コンピュータ読取可能な記憶媒体は、コンピュータアクセス可能な任意の使用可能な媒体又はデータ記憶装置であってもよく、磁気記憶装置（例えば、フロッピーディスク、ハードディスク、磁気テープ、光磁気ディスク（ＭＯ）等）、光学記憶装置（例えば、光ディスク（ＣＤ）、デジタルバーサタイルディスク（ＤＶＤ）、Ｂｌｕ−ｒａｙ（登録商標）ディスク（ＢＤ）、ホログラフィックバーサタイルディスク（ＨＶＤ）等）、及び半導体記憶装置（例えば、ＲＯＭ、消去可能プログラマブル読み取り専用メモリ（ＥＰＲＯＭ）、書き換え可能な読み取り専用メモリ（ＥＥＰＲＯＭ）、不揮発性メモリ（ＮＡＮＤ  ＦＬＡＳＨ（登録商標））、ソリッドステートドライブ（ＳＳＤ））等を含むが、これらに限られない。
【０１５８】
なお、本願の実施例に言及されているユーザ機器は、端末、移動局（Ｍｏｂｉｌｅ  Ｓｔａｔｉｏｎ，「ＭＳ」と略称）、携帯端末（Ｍｏｂｉｌｅ  Ｔｅｒｍｉｎａｌ）等と称されてもよく、任意選択として、該端末は、無線アクセスネットワーク（Ｒａｄｉｏ  Ａｃｃｅｓｓ  Ｎｅｔｗｏｒｋ，ＲＡＮ）を介して１つ又は複数のコアネットワークと通信する能力を備えてもよく、例えば、端末は、携帯電話（「セルラー」電話とも称する）、又は携帯性質を有するコンピュータ等であってもよく、例えば、端末は、ポータブル型、ポケット型、手持ち型、コンピュータ内蔵又は車載の移動装置であってもよい。
【０１５９】
アクセスネットワーク装置は基地局（例えば、アクセスポイント）であってもよく、アクセスネットワークの中でエアインタフェースにおいて１つ又は複数のセクタによって無線端末と通信する装置を指す。基地局は、受信したエアフレームとインターネットプロトコルＩＰパケットとを互に切り替え、無線端末とアクセスネットワークの他の部分との間のルーターとすることができ、ここで、アクセスネットワークの他の部分は、インターネットプロトコル（ＩＰ）インターネットを含んでもよい。基地局は、エアインタフェースに対する属性管理を調整することができる。例えば、基地局は、グローバル移動通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ，ＧＳＭ）又は符号分割多元接続ＣＤＭＡにおける基地局（ＢＴＳ，Ｂａｓｅ  Ｔｒａｎｓｃｅｉｖｅｒ  Ｓｔａｔｉｏｎ）であってもよいし、広帯域符号分割多元接続ＷＣＤＭＡ（登録商標）における基地局（ＮｏｄｅＢ）であってもよく、さらに、ＬＴＥにおけるエボリューション型基地局（ＮｏｄｅＢ又は基地局（ｅＮＢ）又は基地局（ｅ−ＮｏｄｅＢ，ｅｖｏｌｕｔｉｏｎａｌ  Ｎｏｄｅ  Ｂ））であってもよく、本願の実施例では限定しない。
【０１６０】
上記方法の処理プロセスは、ソフトウェアプログラムにより実現可能であり、該ソフトウェアプログラムが記憶媒体に記憶されてもよく、記憶されているソフトウェアプログラムが呼び出される場合、上記方法ステップが実行される。
【０１６１】
当業者であれば、本願の実施例は、方法、システム、又はコンピュータプログラム製品として提供可能であると理解され得るであろう。従って、本願は、完全なるハードウェア実施例、完全なるソフトウェア実施例、又はソフトウェアとハードウェアとを組み合わせた実施例の形式で採用することができる。しかも、本願は、コンピュータ利用可能なプログラムコードが格納されているコンピュータ利用可能な記憶媒体（ディスクストレージ及び光ストレージ等を含むが、これらに限られない）の１つ又は複数において実施するコンピュータプログラム製品の形式で採用することができる。
【０１６２】
本願は、本願の実施例に係る方法、装置（システム）、およびコンピュータプログラム製品のフローチャート及び／又はブロック図を参照して説明される。フローチャート及び／又はブロック図中の各フロー及び／又はブロック、並びにフローチャート及び／又はブロック図中のフロー及び／又はクロックの組み合わせは、コンピュータプログラム命令により実現可能であると理解され得るであろう。これらのコンピュータプログラム命令を汎用コンピュータ、特殊用途向けコンピュータ、組込みプロセッサ又はその他のプログラム可能なデータ処理装置のプロセッサに提供して機械を形成することができ、コンピュータ又はその他のプログラム可能なデータ処理装置のプロセッサが実行する命令により、フローチャートの１つのフロー又は複数のフロー及び／又はブロック図の１つのブロック又は複数のブロックで指定された機能を実現するための装置を作製することができる。
【０１６３】
これらのコンピュータプログラム命令は、コンピュータ又はその他のプログラム可能なデータ処理装置を特定の方式で動作させるように導くコンピュータ読取可能なメモリに記憶されてもよく、これにより、コンピュータ読取可能なメモリに記憶されている命令に、命令装置を含む製品を作製させ、命令装置はフローチャートの１つのフロー又は複数の流程及び／又はブロック図の１つのブロック又は複数のブロックで指定された機能を実現する。
【０１６４】
これらのコンピュータプログラム命令は、コンピュータ又はその他のプログラム可能なデータ処理装置に搭載されてもよく、これにより、コンピュータ又はその他のプログラム可能な装置において一連の操作ステップを実行してコンピュータによる処理を発生させ、コンピュータ又はその他のプログラム可能な装置において実行する命令は、フローチャートの１つのフロー又は複数のフロー及び／又はブロック図の１つのブロック又は複数のブロックで指定された機能を実現するためのステップを提供する。
【０１６５】
本願の好適な実施例を説明したが、当業者であれば、基本的な創造性概念を知った上で、これらの実施例に対して別の変更及び変形を行うことができる。従って、添付する請求項は、好適な実施例及び本願の範囲に入る全ての変更及び変形を含むものとして解釈されることを意図する。
【０１６６】
本願の実施例は、ハンドオーバー方法及び装置を提供し、この方法により、ＣＵ−ＣＰからＣＵ−ＵＰへ送信する通知中に、チャンネル切替指示情報を持つだけではなく、保持指示情報をさらに含むこととなり、チャンネル切替指示情報により、ユーザ機器のソース下りチャンネルをターゲットＤＵに対応する下りチャンネルに切り替えるようＣＵ−ＵＰに指示することができ、ユーザ機器がターゲットＤＵとの接続が成功した後、ユーザ機器はターゲットＤＵから送信した下りデータを受信可能にする。保持指示情報により、ソース下りチャンネルによる下りデータの送信を継続できるようＣＵ−ＵＰに指示することができ、ユーザ機器がターゲットＤＵと接続していない場合でも、下りデータを受信可能となり、これにより、ＤＵハンドオーバー過程におけるデータ伝送の中断時間を低減し、ユーザエクスペリエンスを向上させる。
【０１６７】
もちろん、当業者は、本願の趣旨及び範囲から逸脱しない限り、本願に対して各種の変更及び変形を行うことができる。このようにして、本願のこれらの変更及び変形が本願請求項及びその同等技術範囲内に属していれば、本願はこれらの変更及び変更を含むことを意図する。
【符号の説明】
【０１６８】
701  特定手段
702  送信手段
801  メモリ
802  プロセッサ
803  ネットワークインタフェース
901  受信手段
902  切替手段
903  保持手段
904  特定手段
1001  メモリ
1002  プロセッサ
1003  ネットワークインタフェース
【図１】
2021529468.tif 000003
【図２】
2021529468.tif 000004
【図３】
2021529468.tif 000005
【図４】
2021529468.tif 000006
【図５】
2021529468.tif 000007
【図６】
2021529468.tif 000008
【図７】
2021529468.tif 000009
【図８】
2021529468.tif 000010
【図９】
2021529468.tif 000011
【図１０】
2021529468.tif 000012
【手続補正書】
【提出日】令和2年12月25日(2020.12.25)
【手続補正１】
【補正対象書類名】明細書
【補正対象項目名】００１４
【補正方法】変更
【補正の内容】
【００１４】
ＣＵ−ＵＰが前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続することができる場合、ソースＤＵは、引き続いてユーザプレーンにおいて対応する無線リンクの品質情報を持つ検出情報をＣＵ−ＵＰに送信するので、ＣＵ−ＵＰが、相応する無線リンクの品質状況を知ることが可能となり、無線リンクの品質が所定条件を満足する場合、ＣＵ−ＵＰが、引き続きのソース下りチャンネルによる下りデータの送信を停止し、ターゲットＤＵに対応する下りチャンネルにより下りデータを送信することにより、ＤＵハンドオーバー過程におけるデータ伝送の中断時間を低減することができる。
【手続補正２】
【補正対象書類名】明細書
【補正対象項目名】００４１
【補正方法】変更
【補正の内容】
【００４１】
ユーザプレーンデータについて、ＣＵとＤＵとの間にデータ無線ベアラ（Ｄａｔａ  Ｒａｄｉｏ  Ｂｅａｒｅｒ，ＤＲＢ）ごとに１つの専用のユーザプレーンチャンネル（Ｔｕｎｎｅｌ）が構築され、ＣＵは、ＤＲＢに対応するデータをＰＤＣＰで処理した後、相応するチャンネルによりＤＵに伝送する。ここで、異なるＤＵが異なるチャンネルに対応し、かつ、１つのＤＵが１つのチャンネルに対応する。
【手続補正３】
【補正対象書類名】明細書
【補正対象項目名】０１０２
【補正方法】変更
【補正の内容】
【０１０２】
上記ステップＳ４０２の後に、ソースＤＵは引き続いてユーザプレーンにおいて対応する無線リンクの品質情報を持つ検出情報をＣＵ−ＵＰに送信するので、ＣＵ−ＵＰはソース下りチャンネルの無線リンクの品質状况を知ることができ、無線リンクの品質が所定条件を満足する場合、ＣＵ−ＵＰはソース下りチャンネルにより引き続きの下りデータの送信を停止し、ターゲットＤＵに対応する下りチャンネルにより下りデータを送信することができ、ＤＵハンドオーバー過程におけるデータ伝送の中断時間を低減することができる。
【手続補正４】
【補正対象書類名】特許請求の範囲
【補正対象項目名】全文
【補正方法】変更
【補正の内容】
【特許請求の範囲】
【請求項１】
セントラルノード制御プレーンＣＵ−ＣＰ及びセントラルノードユーザプレーンＣＵ−ＵＰを有するセントラルノードＣＵと分散ノードＤＵとが分離されているアクセスネットワーク機器に適用されるハンドオーバー方法であって、
前記ＣＵ−ＣＰが、ユーザ機器に対してターゲットＤＵを特定するステップと、
前記ＣＵ−ＣＰが、前記ユーザ機器のソース下りチャンネルを前記ターゲットＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を前記ＣＵ−ＵＰに送信するステップと、
を含むことを特徴とするハンドオーバー方法。
【請求項２】
前記保持指示情報は、前記ソース下りチャンネルを一時保持する指示情報、あるいは前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合に、前記ソース下りチャンネルによる下りデータの送信を継続するよう前記ＣＵ−ＵＰに指示する
ことを特徴とする請求項１に記載の方法。
【請求項３】
セントラルノードユーザプレーンＣＵ−ＵＰが、セントラルノード制御プレーンＣＵ−ＣＰから送信した、ユーザ機器のソース下りチャンネルをターゲット分散ノードＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を受信するステップと、
前記ＣＵ−ＵＰが、前記通知におけるチャンネル切替指示情報に基づき、前記ユーザ機器のソース下りチャンネルを前記ターゲットＤＵに対応する下りチャンネルに切り替え、前記通知における保持指示情報に基づき、前記ソース下りチャンネルによる下りデータの送信を継続するステップと、
を含むことを特徴とするハンドオーバー方法。
【請求項４】
前記ＣＵ−ＵＰが、前記ターゲットＤＵに対応する下りチャンネルによる、前記ターゲットＤＵへの下りデータの送信を開始する時間を特定するステップをさらに含むことを特徴とする請求項３に記載の方法。
【請求項５】
前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ソース下りチャンネルに対応するソースＤＵから送信した、対応する無線リンクの品質情報を持つ検出メッセージを受信するステップと、
前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップと、
を含むことを特徴とする請求項４に記載の方法。
【請求項６】
前記ＣＵ−ＵＰが、前記ターゲットＤＵに対応する下りチャンネルによる、前記ターゲットＤＵへの下りデータの送信を開始する時間を特定するステップは、具体的に、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始するステップを含むことを特徴とする請求項４に記載の方法。
【請求項７】
前記保持指示情報は、前記ソース下りチャンネルを一時保持する指示情報、あるいは、前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合、前記ソース下りチャンネルによる下りデータの送信を継続するよう前記ＣＵ−ＵＰに指示する
ことを特徴とする請求項３〜６のいずれか１項に記載の方法。
【請求項８】
セントラルノード制御プレーンＣＵ−ＣＰがユーザ機器に対してターゲット分散ノードＤＵを特定する特定手段と、
前記ＣＵ−ＣＰが、前記ユーザ機器のソース下りチャンネルを前記ターゲットＤＵに対応する下りチャンネルに切り替えるようセントラルノードユーザプレーンＣＵ−ＵＰに指示するチャンネル切替指示情報と、前記ソース下りチャンネルによる下りデータの送信を継続するよう前記ＣＵ−ＵＰに指示する保持指示情報と、を含む通知を前記ＣＵ−ＵＰに送信する送信手段と、
を備えることを特徴とするハンドオーバー装置。
【請求項９】
前記保持指示情報は、前記ソース下りチャンネルを一時保持する指示情報、あるいは前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合に、前記ソース下りチャンネルによる下りデータの送信を継続するよう前記ＣＵ−ＵＰに指示する
ことを特徴とする請求項８に記載のハンドオーバー装置。
【請求項１０】
セントラルノードユーザプレーンＣＵ−ＵＰがセントラルノード制御プレーンＣＵ−ＣＰから送信した、ユーザ機器のソース下りチャンネルをターゲット分散ノードＤＵに対応する下りチャンネルに切り替えるよう前記ＣＵ−ＵＰに指示するチャンネル切替指示情報と、前記ソース下りチャンネルによる下りデータの送信を継続するよう前記ＣＵ−ＵＰに指示する保持指示情報と、を含む通知を受信する受信手段と、
前記ＣＵ−ＵＰが前記通知におけるチャンネル切替指示情報に基づき、前記ユーザ機器のソース下りチャンネルを前記ターゲットＤＵに対応する下りチャンネルに切り替える切替手段と、
前記ＣＵ−ＵＰが前記通知における保持指示情報に基づき、前記ソース下りチャンネルによる下りデータの送信を継続する保持手段と、
を備えることを特徴とするハンドオーバー装置。
【請求項１１】
前記ＣＵ−ＵＰが、前記ターゲットＤＵに対応する下りチャンネルによる、前記ターゲットＤＵへの下りデータの送信を開始する時間を特定する特定手段をさらに備えることを特徴とする請求項１０に記載のハンドオーバー装置。
【請求項１２】
前記特定手段は、
前記ＣＵ−ＵＰが、前記ソース下りチャンネルに対応するソースＤＵから送信した、対応する無線リンクの品質情報を持つ検出メッセージを受信し、
前記ＣＵ−ＵＰが、前記ソースＤＵに対応する無線リンクの品質が所定条件を満足すると特定した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始する
ように構成されることを特徴とする請求項１１に記載のハンドオーバー装置。
【請求項１３】
前記特定手段は、
前記ＣＵ−ＵＰが、前記ターゲットＤＵから送信した接続成功メッセージを受信した場合、前記ＣＵ−ＵＰが、前記ソース下りチャンネルによる下りデータの送信を停止し、前記ターゲットＤＵに対応する下りチャンネルによる、前記ターゲットＤＵへの下りデータの送信を開始する
ように構成されることを特徴とする請求項１１に記載のハンドオーバー装置。
【請求項１４】
前記保持指示情報は、前記ソース下りチャンネルを一時保持する指示情報、あるいは、前記ユーザ機器の下りチャンネルを切り替える原因がセルハンドオーバーである原因情報を含み、
前記指示情報は、前記ソース下りチャンネルを一時保持して前記ソース下りチャンネルによる下りデータの送信を継続するよう前記ＣＵ−ＵＰに指示し、前記原因情報は、セルハンドオーバーに起因して下りチャンネル切替が行われた場合、前記ソース下りチャンネルによる下りデータの送信を継続するよう前記ＣＵ−ＵＰに指示する
ことを特徴とする請求項１０〜１３のいずれか１項に記載のハンドオーバー装置。
【請求項１５】
コンピュータに請求項１〜７のいずれか１項に記載の方法を実行させるコンピュータ実行可能な命令が記憶されていることを特徴とするコンピュータ読取可能な記憶媒体。
【国際調査報告】
2021529468.tif 000013
2021529468.tif 000014
2021529468.tif 000015
2021529468.tif 000016